(57)【特許請求の範囲】
【請求項１】
複合機の最上部に表示面が水平となるように配置されたディスプレイを備え、前記ディスプレイにドキュメントを表示するジョブおよび他のジョブの実行が可能な複合機であって、
第１ユーザのために前記ドキュメントを表示する第１ジョブの実行中に、前記第１ユーザではない第２ユーザによる第２ジョブを検知する第２ジョブ検知部と、
前記第２ジョブが検知された場合に、前記第１ユーザの居る位置が前記第２ジョブについて定められた作業位置であるか否かを判別するユーザ位置判別手段と、
前記第１ユーザの居る位置が前記作業位置であると判別された場合に、前記第１ユーザに対して移動を促すように、前記ディスプレイによる表示の内容を変更する表示変更処理を行う表示制御手段と、を有する、
ことを特徴とする複合機。
【請求項２】
前記表示制御手段は、前記ディスプレイの表示面のうちの前記ドキュメントを表示するドキュメント画面を、前記表示面における前記作業位置に近い側の一部分である予め前記第２ジョブについて定められた特定領域から退避させる処理を、前記表示変更処理として行う、
請求項１記載の複合機。
【請求項３】
前記表示制御手段は、前記ドキュメント画面をその全体が前記特定領域から外れるように移動させる処理を、前記表示変更処理として行う、
請求項２記載の複合機。
【請求項４】
前記表示制御手段は、前記表示面に前記ドキュメント画面を複数配置しており、かつ前記特定領域に配置している前記ドキュメント画面の移動先になり得る空き領域が有る場合において、前記特定領域に配置している前記ドキュメント画面を前記特定領域から外れるように移動させる処理を、前記表示変更処理として行う、
請求項３記載の複合機。
【請求項５】
前記表示制御手段は、前記表示面に前記ドキュメント画面を複数配置しておりかつ前記ドキュメント画面の移動先になり得る空き領域がない場合において、前記特定領域に配置している前記ドキュメント画面を、前記特定領域から外れた位置に配置している前記ドキュメント画面に重ねるように移動させる処理を、前記表示変更処理として行う、
請求項４記載の複合機。
【請求項６】
前記表示制御手段は、移動によって重なる複数の前記ドキュメント画面を１つの画面に統合する、
請求項５記載の複合機。
【請求項７】
前記表示制御手段は、前記表示面に前記ドキュメント画面を複数配置しておりかつ前記ドキュメント画面の移動先になり得る空き領域がない場合において、少なくとも１つの前記ドキュメント画面を縮小する処理を、前記表示変更処理として行う、
請求項４記載の複合機。
【請求項８】
前記表示制御手段は、前記ドキュメント画面を移動させるときに、前記作業位置以外の位置からの閲覧がしやすい向きになるように、前記ドキュメント画面の向きを変更する、  請求項３ないし６のいずれかに記載の複合機。
【請求項９】
前記表示制御手段は、前記ドキュメント画面を移動させるときに、移動の様子を前記第１ユーザに見せるアニメーションを前記ディスプレイに表示させる、
請求項８記載の複合機。
【請求項１０】
前記表示制御手段は、前記第１ユーザに対して移動を促すメッセージを前記ディスプレイに表示させる処理を、前記表示変更処理として行う、
請求項１記載の複合機。
【請求項１１】
当該複合機の周辺に居るユーザである周辺ユーザが前記第２ユーザであるか否かを判別するユーザ判別手段を有し、
前記ユーザ位置判別手段は、前記第２ジョブが検知された後に前記周辺ユーザが前記第２ユーザであると判別された場合に、前記第１ユーザの居る位置が前記作業位置であるか否かを判別する、
請求項１ないし１０のいずれかに記載の複合機。
【請求項１２】
前記ユーザ判別手段は、カメラによる撮影画像に基づく顔認識、またはユーザの保持する携帯通信装置との無線通信によって、ユーザを判別する、
請求項１１記載の複合機。
【請求項１３】
用紙に画像を印刷して排紙トレイに排出するプリンタ部を備え、
前記第２ジョブは、前記プリンタ部を用いる印刷ジョブであり、
前記作業位置は、前記排紙トレイから前記用紙を取り出す作業のために定められた位置である、
請求項１ないし１２のいずれかに記載の複合機。
【請求項１４】
フラットヘッド型のスキャナを備え、
前記ディスプレイは、前記スキャナの原稿台ガラスを覆うカバーとして、原稿台ガラスの１つの端縁に沿う軸を中心に回転する開閉が可能に配置されており、
前記第２ジョブは、前記スキャナを使用するスキャンジョブであり、
前記特定領域は、前記表示面のうちの前記ディスプレイを開状態としたときに上方側となる一部分である、
請求項２ないし９のいずれかに記載の複合機。
【請求項１５】
当該複合機について作業者による特定の保守作業を行う必要がある特定状態を検知する状態検知手段を有し、
前記ユーザ位置判別手段は、前記特定状態が検知された場合に、前記第１ユーザの居る位置が前記保守作業について定められた保守作業位置であるか否かを判別し、
前記表示制御手段は、前記第１ユーザの居る位置が前記保守作業位置であると判別された場合に、前記ディスプレイの表示面における前記ドキュメントを表示するドキュメント画面を、前記表示面における前記保守作業位置に近い側の一部分である予め前記保守作業について定められた保守用特定領域から退避させる処理を行う、
請求項１ないし１３のいずれかに記載の複合機。
【請求項１６】
前記ディスプレイはタッチパネルディスプレイであり、
前記ユーザ位置判別手段は、前記ディスプレイの表示面にタッチしたユーザであるタッチユーザが前記第１ユーザ以外のユーザであるか否かを判別し、
前記表示制御手段は、前記タッチユーザが前記第１ユーザ以外のユーザであると判別された場合に、前記表示面における前記ドキュメントを表示するドキュメント画面を、前記表示面における前記タッチユーザによるタッチ位置を囲む一部分であるタッチユーザ用領域から退避させる処理、および前記タッチユーザ用領域に前記タッチユーザによる操作のための操作パネル画面を表示させる処理を行う、
請求項１ないし１５のいずれかに記載の複合機。
【請求項１７】
前記第１ジョブの実行中に、当該複合機に接近する接近ユーザを検知する接近ユーザ検知手段を有し、
前記ユーザ位置判別手段は、前記接近ユーザが検知された場合に、前記第１ユーザの居る位置が前記接近ユーザの居る側の位置である接近側位置であるか否かを判別し、
前記表示制御手段は、前記第１ユーザの居る位置が前記接近側位置であると判別された場合に、前記ディスプレイの表示面のうちの前記ドキュメントを表示するドキュメント画面を、前記接近側位置に近い側の一部分である接近側領域から退避させる処理、および前記接近側領域に前記接近ユーザによる操作のための操作パネル画面を表示させる処理を行う、
請求項１ないし１６のいずれかに記載の複合機。
【請求項１８】
前記表示制御手段は、ドキュメント画面を退避することが許されない場合に、前記第１ユーザに前記接近ユーザが接近することを知らせるメッセージを前記ディスプレイに表示させる、
請求項１７記載の複合機。
【請求項１９】
ユーザ位置判別手段は、前記第１ジョブが実行中でない場合に、前記周辺ユーザの居る位置が前記作業位置であるか否かを判別し、
前記表示制御手段は、前記第１ジョブが実行中でなく、かつ前記周辺ユーザの居る位置が前記作業位置であると判別された場合に、前記周辺ユーザに移動を促すメッセージを前記ディスプレイに表示させる、
請求項１１または１２記載の複合機。
【発明の詳細な説明】
【技術分野】
【０００１】
本発明は、ドキュメントを表示するディスプレイを備えた複合機に関する。
【背景技術】
【０００２】
従来より、ＭＦＰ（Multi-functional Peripheral ：多機能機）のように複数の用途に利用される複合機には、ユーザによる操作入力のためのデバイスとしてタッチパネルディスプレイが備えられている。タッチパネルディスプレイは、フラット型のディスプレイとタッチパネルとによって構成される。ディスプレイは、種々の画像を表示する。タッチパネルは、ディスプレイの表示面におけるユーザがタッチした位置を検出する。
【０００３】
ディスプレイを複数のユーザが同時に使用するための先行技術として、特許文献１に記載の技術がある。
【０００４】
特許文献１には、大型のディスプレイを最上部に水平に配置した情報処理装置が開示されている。この情報処理装置は印刷機能を有する。ディスプレイは、印刷設定の入力装置およびコンピュータの表示装置として使用される。ユーザは、ディスプレイの周囲の前後左右の各位置で表示を閲覧することができる。複数のユーザが同時に使用する場合には、表示面が複数の領域に区分される。複数のユーザは、それぞれ１つの領域を自己の専用のデスクトップ画面として使用することができる。
【先行技術文献】
【特許文献】
【０００５】
【特許文献１】特開２０１３−１２５５５１号公報
【発明の概要】
【発明が解決しようとする課題】
【０００６】
ディスプレイを周囲の複数の位置から見ることが可能に配置した場合には、複数のユーザがディスプレイを囲むように立っている状況が生じる。このような状況において、他のユーザが何らかの作業をするために複合機に近づきたくても近づきづらいという問題があった。また、周囲に立ってディスプレイを見ているユーザが、近づいてきた他のユーザに気付いて立ち位置を変えると、閲覧している画面が見づらくなってしまうという問題もあった。
【０００７】
例えば、上に述べた状況として、複数のユーザがディスプレイに資料を表示させて閲覧しながら打合せをしており、他のユーザが複合機によって印刷された印刷物を取り出したり印刷の用紙を補給したりするために複合機に近づくという状況がある。この状況では、他のユーザが作業をする間、印刷物の取出し口または用紙の補給口の前に立っているユーザが立ち位置を変える必要がある。しかし、立ち位置を変えることによって打合せの進行が妨げられる。資料が見づらくなることもある。
【０００８】
本発明は、上述の問題に鑑みてなされたもので、既にディスプレイの近くに居るユーザおよびディスプレイの近くに行きたいユーザの双方にとっての使い勝手を良くすることを目的とする。
【課題を解決するための手段】
【０００９】
本発明の実施形態に係る複合機は、ディスプレイを備え、前記ディスプレイにドキュメントを表示するジョブおよび他のジョブの実行が可能な複合機であって、第１ユーザのために前記ドキュメントを表示する第１ジョブの実行中に、前記第１ユーザではない第２ユーザによる第２ジョブを検知する第２ジョブ検知手段と、前記第２ジョブが検知された場合に、前記第１ユーザの居る位置が前記第２ジョブについて定められた作業位置であるか否かを判別するユーザ位置判別手段と、前記第１ユーザの居る位置が前記作業位置であると判別された場合に、前記第１ユーザに対して移動を促すように、前記ディスプレイによる表示の内容を変更する表示変更処理を行う表示制御手段と、を有する。
【００１０】
好ましくは、前記表示制御手段は、前記表示面に前記ドキュメント画面を複数配置しており、かつ前記特定領域に配置している前記ドキュメント画面の移動先になり得る空き領域が有る場合において、前記特定領域に配置している前記ドキュメント画面を前記特定領域から外れるように移動させる処理を、前記表示変更処理として行う。
【発明の効果】
【００１１】
本発明によると、既にディスプレイの近くに居るユーザおよび近くに行きたいユーザの双方にとっての使い勝手を良くすることができる。
【図面の簡単な説明】
【００１２】
【図１】本発明の一実施形態に係る複合機の概略の構成を示す図である。
【図２】複合機およびその制御部のハードウェア構成を示す図である。
【図３】複数のユーザによる複合機の使用の例を示す図である。
【図４】ユーザに移動を促すための表示変更の例を示す図である。
【図５】ユーザに移動を促すための表示変更の例を示す図である。
【図６】ユーザに移動を促すための表示変更の例を示す図である。
【図７】ユーザに移動を促すための表示変更の例を示す図である。
【図８】ユーザに移動を促すための表示変更の例を示す図である。
【図９】ユーザに移動を促すための表示変更の例を示す図である。
【図１０】ユーザに移動を促すための表示変更の例を示す図である。
【図１１】ユーザに移動を促すための表示変更の例を示す図である。
【図１２】ユーザに移動を促すための表示変更の例を示す図である。
【図１３】ユーザに移動を促すための表示変更の例を示す図である。
【図１４】ユーザに移動を促すための表示変更の例を示す図である。
【図１５】ユーザに移動を促すための表示変更の例を示す図である。
【図１６】複合機の機能的構成の例を示す図である。
【図１７】複合機１における表示制御処理の流れの例を示すフローチャートである。
【図１８】表示変更処理の流れの例を示すフローチャートである。
【図１９】特定領域の設定の流れの例を示すフローチャートである。
【発明を実施するための形態】
【００１３】
図１には本発明の一実施形態に係る複合機１の概略の構成が、図２には複合機１およびその制御部１００のハードウェア構成が、それぞれ示されている。図１は、複合機１をその斜め右前方の斜め上方からみた斜視図であり、前面、左側面および上面の外観を示している。
【００１４】
複合機１は、コピー機、プリンタ、およびファクシミリ機などの機能を集約したＭＦＰである。複合機１は、複数のユーザが周囲の異なる位置からドキュメントを閲覧することができるように、複数のドキュメント画面を同時に表示する機能をも有している。
【００１５】
複合機１は、タッチパネルディスプレイ１０、スキャナ２０、プリンタ部３０、給紙部４０、通信部５０、撮影部６０、制御部１００、および補助記憶装置１２０を備える。
【００１６】
タッチパネルディスプレイ１０は、図１に示す通り、表示面１１が水平となる向きに配置されている。表示面１１は複合機１の上面になる。タッチパネルディスプレイ１０の外形サイズは、複合機１の平面視サイズとほぼ等しい。
【００１７】
タッチパネルディスプレイ１０は、ユーザによる入力操作のための画面、ユーザが各種のドキュメントを閲覧するための画面などの様々な画面を、制御部１００からの指令に従って表示する。また、タッチパネルディスプレイ１０は、表示面１１におけるユーザによってタッチされた位置を検出して制御部６１に伝える。
【００１８】
タッチパネルディスプレイ１０は、スキャナ２０のプラテンガラス２１（図１０参照）を覆うカバーとして、右側面に沿う軸を中心に回転する開閉が可能に構成されている。スキャナ２０を使用するスキャンジョブにおいて、ユーザはタッチパネルディスプレイ１０をその左側を持ち上げて開く。
【００１９】
スキャナ２０は、フラットヘッド型であり、ユーザによってプラテンガラス２１の上に置かれた原稿シートから、それに記録されている画像を光学的に読み取る。スキャナ２０は、読み取った画像の各画素の階調値を表わす画像データを制御部１００へ送る。
【００２０】
スキャナ２０のハウジングの外面には、複合機１の前後左右に居るユーザを撮影するための複数のカメラ６１，６２，６３，６４が配置されている。これらカメラ６１〜６４によって得られる撮影画像は、ユーザの位置の検知およびユーザを判別する顔認識などに用いられる。なお、各カメラ６１〜６４の近傍にマイクロフォンが配置されている。
【００２１】
プリンタ部３０は、電子写真法によって用紙に画像を印刷し、用紙を排紙トレイ３５に排出する。図１に示す通り、排紙トレイ３５は、スキャナ２０の下方のいわゆる胴内排紙空間に配置されている。胴内排紙空間は、複合機１の前方および左方に開放されている。つまり、ユーザは、排紙トレイ３５から印刷済みの用紙を取り出すとき、複合機１の前方または左方の位置で取出し作業を行う。
【００２２】
プリンタ部３０のハウジングの前面は、保守のための扉３８となっている。扉３８を開けることによって、トナーの補給および感光体ユニットの交換などを行うことができる。
【００２３】
給紙部４０は、用紙を収納しておくための複数の給紙カセットを備え、選択された給紙カセットからピックアップローラによって用紙を繰り出してプリンタ部３０に供給する。
【００２４】
通信部５０は、パーソナルコンピュータ、スマートフォン、および複合機１に着脱可能なＵＳＢメモリなどの機器と通信回線を介して通信するためのインターフェースである。通信部５０は、ユーザの保持する携帯端末などと通信するための近距離無線通信部５５を有する。
【００２５】
撮影部６０は、スキャナ２０に配置されたカメラ６１，６２，６３，６４によって構成される。撮影部６０は、複数のマイクロフォンからなる音声入力部６５を有する。
【００２６】
制御部１００は、複合機１の全体的な制御を受け持つメインコントローラである。図２に示すように制御部１００は、ＣＰＵ（Central Processing Unit ）１０１、ＲＡＭ（Random Access Memory）１０２、ＲＯＭ（Read Only Memory）１０３、および画像処理部１０４を備える。
【００２７】
ＲＯＭ１０３には、複合機１をプリンタ、コピー機、ファクシミリ機、およびドキュメント表示装置などとして動作させるために、タッチパネルディスプレイ１０、スキャナ２０およびプリンタ部３０などを制御するプログラムが記憶されている。さらに、タッチパネルディスプレイ１０による表示を閲覧しているユーザに移動を促すように表示の内容を変更する表示変更処理プログラムが記憶されている。これらプログラム（コンピュータプログラム）は、必要に応じてＲＡＭ１０２にロードされ、ＣＰＵ１０１によって実行される。
【００２８】
画像処理部１０４は、スキャナ２０から受け取った画像データにシェーディング補正や色収差補正といった読取り光学系の特性に関わる処理を施す。さらに、印刷用のラスタデータの生成、保存用の圧縮データの生成といったデータ出力処理の一部または全部を受け持つ。画像処理部１０４は、受け持った処理をソフトウェアのみで行う場合よりも高速に行うためのハードウェアを含んで構成される。
【００２９】
補助記憶装置１２０は、制御部１００から送られてくる画像データを記憶する。補助記憶装置１２０として、ハードディスクドライブまたはＳＳＤ（Solid State Drive ）などが用いられる。
【００３０】
さて、複合機１は、必要に応じて、タッチパネルディスプレイ１０によって表示される何らかの画面を閲覧しているユーザに移動を促す。移動を促すために、表示面１１における表示の内容を変更する。以下、移動を促すために表示の内容を変更する動作を「表示変更」という。
【００３１】
表示変更は、画面を閲覧しているユーザ（つまり既に複合機１の近くに居るユーザ）が複合機１に近づこうとしている他のユーザの妨げになる場合などに行われる。以下、表示変更を中心に、複合機１の構成および使用の例を説明する。
【００３２】
図３には複数のユーザ３ａ，３ｂ，３ｃ，３ｄによる複合機１の使用の例が示されている。
【００３３】
複合機１は、ドキュメント表示ジョブを実行する。ドキュメント表示ジョブは、書類、図面、地図、写真、イラスト、動画などの各種のドキュメントを表示するジョブである。ドキュメントは音声情報を含んでいてもよい。
【００３４】
図３において、４人のユーザ３ａ〜ｄが複合機１の周りに集まって、表示面１１に表示されたドキュメントを閲覧しながら打合せをしている。この場合のドキュメントは、打合せのための資料である。
【００３５】
複合機１は、前後左右に立っているユーザ３ａ〜ｄのそれぞれに１つずつドキュメント画面４ａ，４ｂ，４ｃ，４ｄを表示する。ドキュメント画面４ａ〜ｄは、ドキュメントを表示するための画面（ウインドウ）である。
【００３６】
複合機１は、ドキュメント画面４ａ〜ｄを表示する際に、表示面１１におけるユーザ３ａ〜ｄのそれぞれの前方の位置に、ユーザ３ａ〜ｄが閲覧しやすい向きにして配置する。閲覧しやすい向きとは、ユーザ３ａ〜ｄが複合機１に真直ぐに向いて見たときのユーザからみた上向き（奥側が画面の上で手前側が下）である。
【００３７】
打合せに際して、例えばユーザ３ａがタッチパネルディスプレイ１０を操作してドキュメントの表示を指示する。その前に顔認識によるユーザ認証を受けるようにしてもよい。ユーザ認証は、パスワード等の入力、ＩＤカードの読取り、指紋認証などの他の方法によって行ってもよい。いずれにしても、ユーザ認証を行う場合、予めユーザがドキュメントを登録しておき、複合機１がユーザを認証したときに自動的にドキュメントを表示するようにしてもよい。
【００３８】
なお、ユーザ３ａ〜ｄは、打合せに際して、表示させたいドキュメントが地図や設計図面などの大サイズの画像である場合などにおいて、表示面１１の全面をドキュメント画面とするモードを、ドキュメント表示ジョブのモードとして指定することができる。
【００３９】
以下、ドキュメント表示ジョブを「第１ジョブ」といい、他のジョブを「第２ジョブ」ということがある。また、ユーザ３ａ〜ｄのうちの任意の一人または複数を「第１ユーザ」といい、ユーザ３ａ〜ｄ以外のユーザを「第２ユーザ」ということがある。
【００４０】
第２ジョブのうちの特に表示変更に関わるジョブとして、印刷ジョブおよびスキャンジョブがある。印刷ジョブでは、第２ユーザが排紙トレイ３５から印刷物を取り出すために複合機１に近づく。このため、排紙トレイ３５の近傍に居る第１ユーザに移動を促す。
【００４１】
また、スキャンジョブでは、第２ユーザが原稿をセットする際にタッチパネルディスプレイ１０を開く。タッチパネルディスプレイ１０が開状態のとき、表示面１１が傾斜するので、特に傾斜の上側の位置に居る第１ユーザは画面を閲覧しづらい。このため、第２ユーザがスキャンジョブを指定したときには、第１ユーザに移動を促す。
【００４２】
図４〜図１５にはユーザに移動を促すための表示変更の例がそれぞれ示されている。
【００４３】
図４において、３人の第１ユーザ３ａ，３ｂ，３ｃが複合機１の前方、左方および右方の各位置に立ってドキュメント画面４ａ，４ｂ，４ｃを閲覧している。この状態で例えば外部のコンピュータからのアクセスによって印刷ジョブが与えられると、複合機１は、印刷をする旨のメッセージ６を２人の第１ユーザ３ａ，３ｂに対して表示する。２人の第１ユーザ３ａ，３ｂは、印刷ジョブの作業位置８１に居るユーザである。作業位置８１は、印刷物の取り出しに必要な空間の位置として予め印刷ジョブについて定めされている。
【００４４】
印刷ジョブを実行しても誰かが印刷物を取りにくるまでは、必ずしも第１ユーザ３ａ，３ｂが移動する必要はない。メッセージ６の表示は、移動する必要が生じることの予告となる。
【００４５】
図５において、以前に印刷ジョブを複合機１に与えた第２ユーザ３ｅが複合機１に近づいて周辺ユーザの１人となる。第２ユーザ３ｅを検知すると、複合機１は、表示面１１における特定領域８１０から外れるように、ドキュメント画像４ｂを表示面１１内の空き領域１５へ移動させる。
【００４６】
移動に際して、図６（Ａ）に示すように、ドキュメント画面４ｂの移動の様子を見せるアニメーションを表示する。アニメーションを表示することによって、第１ユーザ３ｂを左方から後方へ移動するように誘導する。
【００４７】
第１ユーザ３ｂが移動すると複合機１の左側面の近辺が空くので、第２ユーザ３ｅは、支障なく印刷物を取り出すことができる。
【００４８】
なお、図６（Ｂ）に示すように、ドキュメント画面４ｂとその退避に必要な空き領域１６との間に他のドキュメント画面４ａ，４ｄを配置している場合には、例えばドキュメント画面４ｄを空き領域１６へ移動させ、それと並行してドキュメント画面４ｂをドキュメント画面４ｄの移動前の位置へ退避させる。
【００４９】
図７において、４人の第１ユーザ３ａ〜ｄが複合機１の前方、左方、右方、および後方の各位置に立ってドキュメント画面４ａ〜ｄを閲覧している。この状態で印刷ジョブが与えられると、複合機１は、３つのドキュメント画面４ａ，４ｂ，４ｄを他のドキュメント画面４ｄに重ねるように移動させて特定領域８１０から退避させる。そして、重なった４つのドキュメント画面４ａ〜ｄを１つのドキュメント画面４ｅに統合（マージ）する。
【００５０】
このように統合を行うのは、特定領域８１１が図５の特定領域８１１よりも大きいことから３つのドキュメント画面４ａ，４ｂ，４ｄを退避させる必要があり、かつ退避に必要な空き領域が表示面１１内にないからである。
【００５１】
移動および統合に際して、図８に示すように、移動および統合の様子を見せるアニメーションを表示する。図８の例では、統合の後に拡大が行われる。アニメーションを表示することによって、第１ユーザ３ａ，３ｂ，３ｄを複合機１の右方側へ移動するように誘導する。
【００５２】
第１ユーザ３ａ〜ｄは、第２ユーザ３ｅが印刷物を取り出しに来ることを気にかけずに、打ち合わせを続けることができる。
【００５３】
図９において、第１ジョブが実行中であり、図７の例と同様に４人の第１ユーザ３ａ〜ｄがドキュメント画面４ａ〜ｄを閲覧している。複合機１は、第１ジョブ以外の第２ジョブを実行していない。
【００５４】
複合機１に接近してくる第２ユーザである接近ユーザ３ｆを検知すると、複合機１は、接近ユーザ３ｆの居る接近側位置９３に第１ユーザ３ａ〜ｄのいずれかが居る場合に、表示変更を行う。この場合の表示変更は、表示面１１における接近側位置９３に近い接近側領域９３０からドキュメント画面４ａ〜ｄを退避させる処理である。
【００５５】
表示変更においては、図７の例と同様に空き領域がないので、ドキュメント画面４ａ，４ｂ，４ｄをドキュメント画面４ｃに重ねるように移動させて１つのドキュメント画面４e に統合する。その後、表示面１１における先の統合によって空いた接近側領域９３０に、接近ユーザ３ｆが複合機１に所望の指示または情報を入力するための操作パネル画面５を表示する。
【００５６】
表示変更により促されて、第１ユーザ３ｂおよび第１ユーザ３ａ，３ｄが複合機１の右方側へ移動する。接近ユーザ３ｆは、例えば第１ユーザ３ｂが移動する前に居た付近に近づいて、操作パネル画面５を用いて所望の操作をすることができる。第１ユーザ３ａ〜ｄは、引き続き打ち合わせすることができる。
【００５７】
図１０において、３人の第１ユーザ３ａ，３ｃ，３ｄがドキュメント画面４ａ，４ｃ，４ｄを閲覧している。また、複合機１の左方で第２ユーザ３ｋが操作パネル画面５を用いて操作をしている。
【００５８】
第２ユーザ３ｋがスキャンジョブを指定すると、複合機１は、スキャンジョブの作業位置８２に近い特定領域８２０からドキュメント画面４ａ，４ｃ，４ｄを退避させる表示変更を行う。図１０の例では、２つのドキュメント画面４ａ，４ｄをドキュメント画面４ｃに重ねるように移動させて、３つのドキュメント画面４ａ，４ｃ，４ｄを１つのドキュメント画面４e に統合する。
【００５９】
第１ユーザ３ａ，３ｃ，３ｄは、表示変更により促されて移動する。複合機１の右側に集まることにより、第２ユーザ３ｋが原稿をセットするためにタッチパネルディスプレイ１０を開いた状態でのドキュメントの閲覧がしやすくなる。
【００６０】
図１１において、３人の第１ユーザ３ａ，３ｂ，３ｃがドキュメント画面４ａ，４ｂ，４ｃを閲覧している。このとき、複合機１は、トナーエンプティまたは感光体ユニットの交換時期の到来などといった特定の保守作業の必要な特定状態を検知すると、保守作業位置９２に第１ユーザ３ａ，３ｂ，３ｃのいずれかが居る場合に、表示変更を行う。保守作業位置９２は、扉３０を開けるのに必要な空間として予め定められた位置である。
【００６１】
この場合の表示変更は、表示面１１における保守作業位置９２に近い保守用特定領域９２０からドキュメント画面４ａ，４ｃ，４ｄを退避させる処理である。
【００６２】
図１１の例では空き領域１５が有るので、ドキュメント画面４ａ，４ｂを移動させる。保守用特定領域９２０に配置しているドキュメント画面４ａのみを移動させてもよいが、そのようにすると、第１ユーザ３a に複合機１の前方側から後方側まで半周するような移動を促すことなりかねない。そこで、ドキュメント画面４ａ，４ｂを移動させて、２人の第１ユーザ３ａ，３ｂにそれぞれ４分の１周の移動を促す。第１ユーザ３ａが移動した後に、保守作業を受け持つ第２ユーザ３ｔは、扉３８を開いて保守作業を行う。
【００６３】
図１２において、４人の第１ユーザ３ａ〜ｄがドキュメント画面４ａ〜ｄを閲覧している。複合機１は、第１ジョブ以外の第２ジョブを実行していない。
【００６４】
接近ユーザ３ｆを検知すると、複合機１は、接近側位置９４に第１ユーザ３ａ〜ｄのいずれかが居る場合に、表示変更を行う。表示変更は、接近側領域９４０からドキュメント画面４ａ〜ｄを退避させる処理である。具体的には、接近側領域９４０に配置している２つのドキュメント画面４ｂ，４ｄを縮小してドキュメント画面４ｂｓ，４ｄｓとする。縮小によって画面の中心が元の位置からずれる。縮小後にまたは縮小と並行して画面全体を移動させてもよい。
【００６５】
図７および図９の例と違って統合をしないのは、ドキュメント画面４ａ〜ｄの間でそれぞれの表示の内容が異なっているからである。内容が異なる場合の例として、第１ユーザ３ａ〜ｄが１つの書類の異なるページを閲覧している場合がある。複合機１は、空き領域の有無および統合の可否を判別し、判別の結果に応じた表示変更を行う。
【００６６】
図１３において、図１２の例と同様に、４人の第１ユーザ３ａ〜ｄがドキュメント画面４ａ〜ｄを閲覧している。このとき、図５の例と同様に、以前に印刷ジョブを複合機１に与えた第２ユーザ３ｅが複合機１に近づいて周辺ユーザの１人となっている。
【００６７】
しかし、空き領域がないので、空き領域への移動はできない。また、ドキュメント画面４ａ〜ｄの間でそれぞれの表示の内容が異なっているので、統合もできない。さらに読みづらくなるなどの理由で縮小もできない。つまり、ドキュメント画面４ａ〜ｄを退避させることができない。そこで、複合機１は、第１ユーザ３ａ，３ｂに対して、移動を促すメッセージ６ｂを表示する。図１３では、第１ユーザ３ｂが移動して第２ユーザ３ｅに場所を譲っている。
【００６８】
図１４において、図１２の例と同様に、４人の第１ユーザ３ａ〜ｄがドキュメント画面４ａ〜ｄを閲覧している。このとき、周辺ユーザ３ｇが表示面１１にタッチすると、タッチ位置を囲む所定サイズのタッチユーザ用領域９５０からドキュメント画面４ａ〜ｄを退避させる。そして、タッチユーザ用領域９５０に、タッチユーザである周辺ユーザ３ｇによる操作のための操作パネル画面５を表示する。
【００６９】
図１５において、第２ユーザである３人の周辺ユーザ３ｈ，３ｉ，３ｊがそれぞれに対して表示された操作パネル画面５ｈ，５ｉ，５ｊを用いてそれぞれ所望の操作をしている。この状態で印刷ジョブが与えられると、複合機１は、図４の例と同様に、印刷をする旨のメッセージ６を２人の周辺ユーザ３ｈ，３ｉに対して表示する。
【００７０】
図１６には複合機１の機能的構成の例が示されている。
【００７１】
複合機１には、第２ジョブ検知部２０１、ユーザ位置判別部２０２、表示制御部２０３、ユーザ判別部２０４、状態検知部２０５、および接近ユーザ検知部２０６などが設けられる。これらの機能は、上に述べた制御部１００のハードウェア構成により、および上に述べた表示変更処理プログラムがＣＰＵ１０１によって実行されることにより実現される。
【００７２】
第２ジョブ検知部２０１は、第１ユーザ３ａ〜ｄのためにドキュメントを表示する第１ジョブの実行中に、第１ユーザ３ａ〜ｄではない第２ユーザ３ｅ，３ｋによる第２ジョブを検知する。印刷ジョブおよびスキャンジョブは、第２ジョブの例である。
【００７３】
第２ジョブ検知部２０１は、例えば外部のコンピュータからネットワークを介して与えられる印刷ジョブを通信部５０が受信したとき、その印刷ジョブを第２ジョブとして検知する。
【００７４】
ユーザ位置判別部２０２は、第２ジョブが検知された場合に、第１ユーザ３ａ〜ｄの居る位置が第２ジョブについて定められた作業位置８１，８２であるか否かを判別する。ユーザ位置判別部２０２は、例えば撮影部６０による撮影像を解析することによって第１ユーザ３ａ〜ｄの居る位置を検知する。第２ジョブが印刷ジョブである場合には、作業位置８１は、排紙トレイ３５から印刷物を取り出す作業に適した位置である。
【００７５】
表示制御部２０３は、第１ユーザ３ａ〜ｄの居る位置が作業位置８１，８２であると判別された場合に、第１ユーザ３ａ〜ｄのうちの少なくとも１人に対して移動を促すように、タッチパネルディスプレイ１０による表示の内容を変更する表示変更処理を行う。
【００７６】
例えば、表示変更処理として、タッチパネルディスプレイ１０の表示面１１のうちのドキュメントを表示するドキュメント画面４ｂを、表示面１１における作業位置８１，８２に近い側の一部分である予め第２ジョブについて定められた特定領域８１０，８２０から退避させる処理を行う。
【００７７】
詳しくは、図５に示すように、ドキュメント画面４ｂをその全体が特定領域８１０から外れるように表示面１１における後方側の空き領域１５の位置へ移動させる処理を行うことによって退避させる。つまり、表示面１１に複数のドキュメント画面４ａ，４ｂ、４ｃを配置しており、かつ特定領域８１０に配置しているドキュメント画面４ｂの移動先になり得る空き領域１５が有る場合において、特定領域８１０に配置しているドキュメント画面４ｂを特定領域８１０から外れるように移動させる処理を、表示変更処理として行う。
【００７８】
ドキュメント画面４ｂを移動させるときに、作業位置８１以外の位置であって移動先に対応した後方の位置からの閲覧がしやすい向きになるように、ドキュメント画面４ｂの向きを変更する。加えて、図６に示すように、ドキュメント画面４ｂの移動の様子を見せるアニメーションをタッチパネルディスプレイ１０に表示させる。
【００７９】
アニメーションを表示することにより、第１ユーザ３ｂを左方から後方へ移動するように誘導することができる。移動を開始する前に、メッセージを表示したりアイコンを点滅させたりするなどして移動を開始する旨を第１ユーザ３ｂに知らせてもよい。
【００８０】
また、例えば図９に示すように、表示面１１に複数のドキュメント画面４ａ〜ｄを配置しており、かつ接近側領域９３０に配置しているドキュメント画面４ａ，４ｂ，４ｄの移動先になり得る空き領域が無い場合において、接近側領域９３０に配置しているドキュメント画面４ａ，４ｂ，４ｄを接近側領域９３０から外れた位置に配置しているドキュメント画面４ｃに重ねるように移動させる処理を、表示変更処理として行う。
【００８１】
また、スキャンジョブにおいて、例えば図１０に示すように、３つのドキュメント画面４ａ，４ｃ，４ｄのうちのスキャンジョブの作業領域８２に対応する特定領域８２０に配置している２つのドキュメント画面４ａ，４ｄを、特定領域８２０から外れた位置に配置しているドキュメント画面４ｃに重ねるように移動させる。スキャンジョブの特定領域８２０は、表示面１１のうちのタッチパネルディスプレイ１０を開状態としたときに上方側となる一部分である
そして、重ねるように移動させる場合には、移動によって重なる複数のドキュメント画面４ａ〜ｄを１つの画面４ｅに統合（マージ）する。
【００８２】
また、表示制御部２０３は、図１２および図１４に示すように、表示面１１に複数のドキュメント画面４ａ〜ｄを配置しておりかつドキュメント画面４ｂ，４ｄの移動先になり得る空き領域がない場合において、少なくとも１つのドキュメント画面４ｂ，４ｄを縮小する処理を、表示変更処理として行う。
【００８３】
また、表示制御部２０３は、図４の例のように、作業位置８１に居る第１ユーザ３ａ，３ｂうちの少なくとも１人の第１ユーザ３ａ，３ｂに対して移動を促すメッセージ６をタッチパネルディスプレイ１０に表示させる処理を、表示変更処理として行う。メッセージ６の内容としては、例えば「印刷を行います。印刷物を取りに来る人のために、取出し口付近を空けるように移動してください。」というものでよい。
【００８４】
ユーザ判別部２０４は、カメラ６１〜６４による撮影画像に基づく顔認識、またはユーザの保持する携帯通信装置との無線通信によって、複合機１の周辺に居るユーザである周辺ユーザが第２ユーザ３ｅ，３ｈであるか否かを判別する。このとき、第２ジョブに含まれるユーザ識別情報によって第２ユーザ３ｅ，３ｋを特定し、予め登録されている複数のユーザのユーザ識別情報と照合することにより、第２ユーザ３ｅ，３ｋを判別する。
【００８５】
上に述べたユーザ位置判別部２０２は、第２ジョブ検知部２０１によって第２ジョブが検知された後にユーザ判別部２０４によって周辺ユーザが第２ユーザ３ｅ，３ｋであると判別された場合に、第１ユーザ３ａ〜ｄの居る位置が作業位置８１，８２であるか否かを判別する。これによれば、例えば複合機１が第２ユーザ３ｅ，３ｋによる印刷ジョブを実行した後、第２ユーザ３ｅが実際に印刷物を取り出しに来たときに、第１ユーザ３ａ〜ｄに対して移動を促すことになる。第１ユーザ３ａ〜ｄは、まさに移動が必要になった時点で移動を行えばよい。ただし、印刷ジョブを検知した時点で、移動のこころ積もりをしてもらうために、移動の必要を予告するメッセージを表示してもよい。
【００８６】
図４に戻って、状態検知部２０５は、複合機について作業者による特定の保守作業を行う必要がある特定状態を検知する。特定状態の例として、上に述べた扉３８を開ける必要のある状態がある。つまり、トナーの補給や感光体ユニットの交換の必要な状態は特定状態の例である。
【００８７】
図１１を参照して、ユーザ位置判別部２０２は、状態検知部２０５によって特定状態が検知された場合に、第１ユーザ３ａ，３ｂ，３ｃの居る位置が保守作業について定められた保守作業位置９２であるか否かを判別する。
【００８８】
表示制御部２０３は、ユーザ位置判別部２０２によって、第１ユーザ３ａ，３ｂ，３ｃの居る位置が保守作業位置９２であると判別された場合に、表示面１１におけるドキュメント画面４ａ，４ｂ，４ｃを、表示面１１における保守作業位置９２に近い側の一部分である予め保守作業について定められた保守用特定領域９２０から退避させる処理を行う。
【００８９】
図１４を参照して、ユーザ位置判別部２０２は、表示面１１にタッチしたユーザであるタッチユーザ３ｇが第１ユーザ３ａ〜ｄ以外のユーザであるか否かを判別する。
【００９０】
表示制御部２０３は、ユーザ位置判別部２０２によってタッチユーザ３ｇが第１ユーザ３ａ〜ｄ以外のユーザであると判別された場合に、表示面１１におけるドキュメントを表示するドキュメント画面４ｂ，４ｄを、表示面１１におけるタッチユーザ３ｇによるタッチ位置を囲む一部分であるタッチユーザ用領域９５０から退避させる処理、およびタッチユーザ用領域９５０にタッチユーザによる操作のための操作パネル画面５を表示させる処理を行う。
【００９１】
図１２を参照して、接近ユーザ検知部２０６は、第１ジョブの実行中に、当該複合機１に接近する接近ユーザ３ｆを検知する。例えば、時系列の複数の撮影画像の解析、またはユーザの保持する無線通信機器からの位置情報の示す位置の変化などによって検知する。
【００９２】
ユーザ位置判別部２０２は、接近ユーザ検知部２０６によって接近ユーザ３ｆが検知された場合に、第１ユーザ３ｂの居る位置が接近ユーザ３ｆの居る側の位置である接近側位置９４であるか否かを判別する。
【００９３】
表示制御部２０３は、接近ユーザ検知部２０６によって第１ユーザ３ｂの居る位置が接近側位置９４であると判別された場合に、表示面１１のうちのドキュメント画面４ｂ，４ｄを、接近側位置９４に近い側の一部分である接近側領域９４０から退避させる処理、および接近側領域９４０に接近ユーザ３ｆによる操作のための操作パネル画面５を表示させる処理を行う。
【００９４】
図１３を参照して、表示制御部２０３は、ドキュメント画面４ａ〜ｄを退避することが許されない場合に、第１ユーザ３ａ，３ｂに接近ユーザ３ｆが接近することを知らせるメッセージ６ｂをタッチパネルディスプレイ１０に表示させる。。メッセージ６ｂの内容としては、例えば「他のユーザが印刷物を取りに来ました。取出し口付近を空けるように移動してください。」というものでよい。
【００９５】
図１５を参照して、ユーザ位置判別部２０２は、第１ジョブが実行中でない場合に、周辺ユーザ３ｈ，３ｉ，３ｊの居る位置が作業位置８１であるか否かを判別するものでもよい。
【００９６】
表示制御部２０３は、第１ジョブが実行中でなく、かつユーザ位置判別部２０２によって周辺ユーザ３ｈ，３ｉの居る位置が作業位置８１であると判別された場合に、周辺ユーザ３ｈ，３ｉに移動を促すメッセージ６をタッチパネルディスプレイ１０に表示させる。
【００９７】
図１７のフローチャートには複合機１における表示制御処理の流れの例が、図１８のフローチャートには表示変更処理の流れの例が、図１９のフローチャートには特定領域８１，８２の設定の流れの例が、それぞれ示されている。
【００９８】
図１７において、ジョブの入力の有無を含む複合機１の状態を検知する（＃３０１）。第１ジョブが実行中でない場合（＃３０２でＮＯ) 、メッセージ表示処理（＃３０６）を実行する。このメッセージ表示処理では、作業位置８１，８２または保守作業位置９２に周辺ユーザ３ｈ，３ｉの居る場合において、第２ジョブまたは特定状態を検知したときに、周辺ユーザ３ｈ，３ｉに移動を促すメッセージ６ｂをタッチパネルディスプレイ１０に表示させる。
【００９９】
第１ジョブが実行中である場合（＃３０２でＹＥＳ) 、第２ジョブを検知するかまたは保守作業の必要な特定状態を検知したときに（＃３０３または＃３０７でＹＥＳ）、表示変更処理を実行する（＃３０４）。その後、操作入力に従って画面を切り換えたりユーザの指示をそれに対応した処理手段に通知したりする通常処理を行う（＃３０５）。
【０１００】
第２ジョブおよび特定状態のいずれをも検知しなかった場合には（＃３０３および＃３０７で共にＮＯ）、表示変更処理を行わずに通常処理を行う。
【０１０１】
図１８において、複合機１の周辺に居るユーザに移動を促す必要があるか否かをチェックする（＃４０１）。つまり、第１ユーザ３ａ，３ｂ，３ｃ，３ｄの居る位置が、作業位置８１，８２または保守作業位置９２であるか否かを判断する。必要がなければ（＃４０１でＮＯ) 、図１７のフローに戻る。
【０１０２】
移動を促す必要があれば（＃４０１でＹＥＳ) 、つまり第１ユーザ３ａ〜ｄのいずれかが作業位置８１，８２または保守作業位置９２に居る場合には、ドキュメント画面４ａ〜ｄの退避が必要か否かをチェックする（＃４０２）。つまり、特定領域８１０，８２０または保守用特定領域９２０にドキュメント画面４ａ〜ｄを配置している状態か否かを判断する。このとき、予め定め記憶している設定用データに従って、図１９に示すようにジョブに応じて特定領域８１０，８２０を設定する（＃４２１〜＃４２４）。第２ジョブが印刷ジョブおよびスキャンジョブのいずれでもない場合には、そのジョブについて定められている特定領域を設定する（＃４２５）。
【０１０３】
ドキュメント画面４ａ〜ｄの退避が必要でない場合には（＃４０２でＮＯ) 、移動を促すメッセージ６ｂを表示する（＃４０７）。
【０１０４】
ドキュメント画面４ａ〜ｄの退避が必要である場合には（＃４０２でＹＥＳ) 、移動先となり得る空き領域１５，１６があれば（＃４０３でＹＥＳ) 、ドキュメント画面４ａ〜ｄのうちの退避すべき１つまたは複数を空き領域１５，１６へ滑らかに移動する（＃４０４）。「滑らかに移動」とは、ユーザを誘導するように適切な速度で連続的に動くアニメーションを表示することを意味する。
【０１０５】
その後、空になった特定領域８１０，８２０に、必要に応じて第２ユーザ３ｅ，３ｋのための操作パネル画面５などの他の画面を表示する（＃４０５、＃４０６）。
【０１０６】
一方、移動先となり得る空き領域１５，１６がなければ（＃４０３でＮＯ) 、ドキュメント画面４ａ〜ｄを統合したり縮小したりする編集が許されるかどうかをチェックする（＃４０８）。編集を禁止するモードが設定されるなどして編集が許されていない場合には（＃４０８でＮＯ) 、移動を促すメッセージ６ｂを表示する（＃４１１）。
【０１０７】
編集が許されてはいる場合には（＃４０８でＹＥＳ) 、続けて、編集が可能か否かをチェックする（＃４０９）。編集が可能であれば（＃４０９でＹＥＳ) 、ドキュメント画面４ａ〜ｄのうちの１つまたは複数を編集して特定領域８１０，８２０または保守用特定領域９２０から退避させる。
【０１０８】
ドキュメント画面４ａ〜ｄの内容が異なっているときには統合は不可とする。縮小することで情報が読みづらくなる場合は縮小は不可である。統合も縮小も不可の場合は編集が不可と判断する。その場合には、移動を促すメッセージ６ｂを表示する（＃４１１）。
【０１０９】
以上の実施形態によると、既にディスプレイ（タッチパネルディスプレイ１０）の近くに居るユーザおよび近くに行きたいユーザの双方にとっての使い勝手を良くすることができる。複合機１を用いて複数のユーザが打合せを行っているとき、打合せが移動してくれるので、他のユーザは印刷物を取り出したり、保守作業をしたりしやすい。
【０１１０】
他のユーザがスキャンジョブを実行させる場合、打合せをしているユーザの閲覧しやすい位置（開状態での下側）にドキュメント画面４ａ〜ｄが表示されるので、タッチパネルディスプレイ１０が開状態である間も、打合せを続けやすい。他のユーザにとっては、タッチパネルディスプレイ１０の開閉が打合せの大きな妨げにならないので、気兼ねなく複合機１をスキャンジョブに使用することができる。
【０１１１】
複合機１は、ＭＦＰ（多機能機）に限らず、用紙と取出しまたが原稿のセットなどのように複合機１にユーザが近づく作業を伴うジョブとドキュメントを表示ジョブとを並行して実行可能な機器であればよく、コピー機、ファクシミリ機、イメージリーダなどであってもよい。自動原稿送り装置を備えるものでもよい。
【０１１２】
その他、複合機１の全体または各部の構成、処理の内容、順序、またはタイミング、第１ユーザの数、ドキュメント表示モードの用途、作業領域８１，８２および保守作業領域９２のそれぞれの範囲、特定領域８１０，８２０および保守用特定領域９２０のそれぞれの範囲などは、本発明の趣旨に沿って適宜変更することができる。
【符号の説明】
【０１１３】
１  複合機
３ａ，３ｂ，３ｃ、３ｄ  第１ユーザ
３ｅ，３ｋ，３ｔ  第２ユーザ
３ｆ  接近ユーザ
３ｇ  タッチユーザ
３ｈ，３ｉ，３ｊ  周辺ユーザ
４ａ，４ｂ，４ｃ、４ｄ  ドキュメント画面
５  操作パネル画面
６，６ｂ  メッセージ
１０  タッチパネルディスプレイ（ディスプレイ）
１５，１６  空き領域
２０  スキャナ
２１  プラテンガラス（原稿台ガラス）
３０  プリンタ部
３５  排紙トレイ
６１，６２，６３，６４  カメラ
８１，８２  作業位置
２０１  第２ジョブ検知部（第２ジョブ検知手段）
２０２  ユーザ位置判別部（ユーザ位置判別手段）
２０３  表示制御部（表示制御手段）
２０４  ユーザ判別部（ユーザ判別手段）
２０５  状態検知部（状態検知手段）
２０６  接近ユーザ検知部（接近ユーザ検知手段）
８１０，８２０  特定領域
９２  保守作業位置
９４  接近側位置
９２０  保守用特定領域
９５０  タッチユーザ用領域
９４０  接近側領域
【図１】
0006520648.tif 000002
【図２】
0006520648.tif 000003
【図３】
0006520648.tif 000004
【図４】
0006520648.tif 000005
【図５】
0006520648.tif 000006
【図６】
0006520648.tif 000007
【図７】
0006520648.tif 000008
【図８】
0006520648.tif 000009
【図９】
0006520648.tif 000010
【図１０】
0006520648.tif 000011
【図１１】
0006520648.tif 000012
【図１２】
0006520648.tif 000013
【図１３】
0006520648.tif 000014
【図１４】
0006520648.tif 000015
【図１５】
0006520648.tif 000016
【図１６】
0006520648.tif 000017
【図１７】
0006520648.tif 000018
【図１８】
0006520648.tif 000019
【図１９】
0006520648.tif 000020